(57)【要約】【課題】肘掛けを前後方向に倒そうとする力に対しても十分に耐えることができる強固で、しかも簡単な構造の椅子の肘フレームの取付構造を提供する。【解決手段】肘フレーム取付部１３の外側端面と肘フレーム１２の内側端面とのいずれか一方に、山形の凸部１４を設け、他方にはこれと補形をなす谷形の凹部１７を設けるとともに、凹凸部１４、１７に隣接する位置における肘フレーム取付部１３の外側端面と肘フレーム１２の内側端面とのいずれか一方に突部１８を、他方にこれと補形をなす係合孔１５を設ける。【選択図】　　　　図３
2004049735.tif 000002
【特許請求の範囲】
【請求項１】
肘フレーム取付部の外側端面に肘フレームの内側端面を左右方向を向く連結ボルトにより螺着して取り付けるようにした椅子の肘フレーム取付構造において、前記肘フレーム取付部の外側端面と前記肘フレームの内側端面とのいずれか一方に、山形の凸部を設け、他方にはこれと補形をなす谷形の凹部を設けるとともに、前記凹凸部に隣接する位置における前記肘フレーム取付部の外側端面と前記肘フレームの内側端面とのいずれか一方に突部を、他方にこれと補形をなす係合孔を設けたことを特徴とする椅子の肘フレーム取付構造。
【請求項２】
連結ボルトが、山形の凸部の稜線のほぼ中央を挿通するようにした請求項１記載の椅子の肘フレーム取付構造。
【請求項３】
突部及び係合孔を、山形の凸部の稜線と直交する方向に設けた請求項１または２記載の椅子の肘フレーム取付構造。
【請求項４】
肘フレーム取付部及び肘フレームの断面形状を前後方向に長い形状とし、かつ凹凸部と、突部及び係合孔とを、前後に並べて配設した請求項１〜３のいずれかに記載の椅子の肘フレーム取付構造。
【請求項５】
肘フレーム取付部を、背凭れ支持杆の水平部に、外側方を向くように設けた請求項１〜４のいずれかに記載の椅子の肘フレーム取付構造。
【発明の詳細な説明】
【０００１】
【発明の属する技術分野】
本発明は、椅子における肘フレームの取付構造に関する。
【０００２】
【従来の技術】
従来の椅子の側部の肘掛けは、これを支持する肘フレームの下端を、支基の下面または座の下面に取付ボルトにより螺締することによって取り付けられている。
また、特開２００１−１９７９５７号公報には、椅子の座の下方において外側方に延出する腕杆の先端面に山形の凸面を、また肘掛けを支持する肘フレームの下端部より内方を向く内向き部の先端面に谷形の凹面を形成して、これらを互いに密接させて、外側方から連結ボルトにより螺着させる構造が示されている。
【０００３】
【発明が解決しようとする課題】
上述の前者は、取付に当たって座の下方の狭い空間内で、上向きの取付ボルトの位置合わせや締め付け作業を行うため、無理な姿勢を余儀なくされ組付けの作業性が悪い。また、肘掛けに、着座者が凭れ掛かったりして、大きな荷重が掛かったとき、その荷重が、またはてこの原理で加増されて取付ボルトに対して抜け落ちる方向に作用するので、折損や抜け落ちを招くおそれがある。
【０００４】
後者では、連結ボルトは、空間が拡がる側方から装着するので作業性がよく、しかも山形の凸凹面同士の係合により位置決めが容易で、その上着座者の凭れ掛かりの荷重は、この山形の凸凹面で受けられ、連結ボルトには引っ張り応力のみが作用し、曲げ応力が掛りにくい利点がある。
【０００５】
しかし、後者によっても、肘掛けを前後方向に倒そうとする方向に大きな荷重が掛った場合には、肘フレーム下端の端面が腕杆の先端面から垂直面内において連結ボルトを中心とする回転方向にずれるおそれがある。
【０００６】
本発明は、従来の技術が有する上記のような問題点に鑑み、肘掛けを前後方向に倒そうとする力に対しても十分に耐えることができる強固でしかも簡単な構造の椅子の肘フレームの取付構造を提供することを目的としている。
【０００７】
【課題を解決するための手段】
本発明によると、上記課題は、次のようにして解決される。
（１）　肘フレーム取付部の外側端面に肘フレームの内側端面を左右方向を向く連結ボルトにより螺着して取り付けるようにした椅子の肘フレーム取付構造において、前記肘フレーム取付部の外側端面と前記肘フレームの内側端面とのいずれか一方に、山形の凸部を設け、他方にはこれと補形をなす谷形の凹部を設けるとともに、前記凹凸部に隣接する位置における前記肘フレーム取付部の外側端面と前記肘フレームの内側端面とのいずれか一方に突部を、他方にこれと補形をなす係合孔を設ける。
【０００８】
（２）　上記（１）項において、連結ボルトが、山形の凸部の稜線のほぼ中央を挿通するようにする。
【０００９】
（３）　上記（１）または（２）項において、突部及び係合孔を、山形の凸部の稜線と直交する方向に設ける。
【００１０】
（４）　上記（１）〜（３）項のいずれかにおいて、肘フレーム取付部及び肘フレームの断面形状を前後方向に長い形状とし、かつ凹凸部と、突部及び係合孔とを、前後に並べて配設する。
【００１１】
（５）　上記（１）〜（４）項のいずれかにおいて、肘フレーム取付部を、背凭れ支持杆の水平部に、外側方を向くように設ける。
【００１２】
【発明の実施の形態】
以下、本発明の実施の形態を、添付図面を参照して説明する。
図１〜図４は、本発明の一実施形態を備える椅子を示す。
【００１３】
図１及び図２に示すように、この椅子は、先端部にキャスタ（１）が設けられた放射状をなす５本の脚（２）を有する脚体（３）を備えている。脚体（３）の中央には、ガススプリング（図示略）を備える伸縮式の脚柱（４）が立設されており、脚柱（４）の上端には、支基（５）が固着されている。
【００１４】
支基（５）の前後方向（図２の左が前方、右が後方である）の中間部には、左右方向（図１の左右方向）を向く六角柱状の軸（６）が、その中心軸線回りに回動可能として貫通されている。支基（５）の両側より左右に突出する軸（６）の両端部には、背凭れ（７）を支持する側面視ほぼＬ字状の左右１対の背凭れ支持杆（８）（８）の前端部が固着されており、背凭れ（７）及び背凭れ支持杆（８）（８）は、軸（６）と一体になって、軸（６）を中心に後下方に傾動し得るようになっている。この傾動は、図示してないリクライニング制御装置により制御される。背凭れ支持杆（８）は、水平部（８ａ）と、その後端から起立する起立部（８ｂ）とからなっている。
【００１５】
背凭れ支持杆（８）の上端には、ヘッドレスト（９）が設けられ、支基（５）の上方には、座（１０）が、背凭れ支持杆（８）と連動して後下方に傾動するように設けられている。
【００１６】
座（１０）の両側上方に位置する肘掛け（１１）は、肘フレーム（１２）により支持されている。
図２及び図３に示すように、背凭れ支持杆（８）の水平部（８ａ）の中間部、すなわち軸（６）への固着端と起立部（８ｂ）との連設部との中間位置には、外側方に向かって水平に延びる肘フレーム取付部（１３）が一体に形成されている。
【００１７】
図３及び図４に示すように、肘フレーム取付部（１３）の先端は、前部が幅広で後部が幅狭の角がとれた前後方向に長い垂直断面形状をしており、その先端面の前部には、上下方向に連続する平面視山形の凸部（１４）が、また先端面の後部には、左右方向を向く円形の係合孔（１５）が、それぞれ設けられている。
また、凸部（１４）の稜線の中央には、左右方向を向くねじ孔（１６）が穿設されている。
【００１８】
他方、肘フレーム（１２）の下部の左右方向内向きに曲がった基端部（１２ａ）の内側端部は、上述の肘フレーム取付部（１３）の垂直断面形状と同じ前後方向に長い断面形状をなし、その先端面における幅広の前部には、凸部（１４）と補形をなす、上下方向に連続する平面視谷形またはＶ字形の凹部（１７）が、また幅狭の後部には、係合孔（１５）に嵌合するピン状の突部（１８）が、それぞれ設けられている。
【００１９】
また、凹部（１７）の谷の線の中央には、左右方向外向きに延びるボルト挿通孔（１９）が穿設されている。肘フレーム（１２）の基端部の外端には、上向きの屈曲部の下部を貫いて外側に解放するように、細長い開口（２０）が形成されている。
（２１）は、肘フレーム（１２）の外側からボルト孔（１９）に挿入され、肘フレーム取付部（１３）のねじ孔（１６）に螺締される連結ボルトである。
【００２０】
肘フレーム（１２）の取付に当たっては、肘フレーム（１２）の内側先端面から突出する突部（１８）を、肘フレーム取付部（１３）の先端面の係合孔（１５）に差し入れつつ、肘フレーム（１２）の凹部（１７）を肘フレーム取付部（１３）の凸部（１４）に嵌合させる。すると、両者は完全に整合する。
この状態で、肘フレーム（１２）の外側から連結ボルト（２１）を挿入し、肘フレーム取付部（１３）のねじ孔（１６）に螺締するだけで取付は完了する。
なお、凸部（１４）と凹部（１７）の関係及び突部（１８）と係合孔（１５）の関係は、上述の場合と逆の配置であってもよく、凸部（１４）の稜線の向きは、前後方向またはその他の方向としてもよい。
また、肘フレーム取付部（１３）は、支基（５）または座（１０）に一体的に取付けてもよい。
【００２１】
【発明の効果】
請求項１記載の発明によれば、単に凸部と凹部とを係合させるだけの場合に比べて、突部と係合孔との係合が、凸部と凹部との係合部分を中心とする肘フレームの回り止めとして作用し、肘掛けを前後に倒そうとする力に対して、強力に対抗することができ、強固な構造を呈することができるとともに、突部と係合孔とが、凸部と凹部との係合時の位置決めともなり、組み付け作業が容易になる。
また、椅子の外側方の広い空間を利用して連結ボルトを螺締することができる。
【００２２】
請求項２記載の発明によれば、椅子の使用に当たって肘掛け、ひいては肘フレームにひねりの荷重が加わった場合に、この荷重を山形の凸部及び谷形の凹部の両傾斜面にバランスよく受けさせることができる。
【００２３】
請求項３記載の発明によれば、山形の凸部と谷形の凹部との回転方向のずれを最も効果的に阻止することができるとともに、それらの係合時の位置決めにも、最も効果的である。
【００２４】
請求項４記載の発明によれば、凹凸部と、突部及び係合孔とを、前後にバランスよく配設することができるとともに、それらの相互の間に十分な距離を確保することができる。すなわち、それらの距離を大とするほど、肘フレームの前後方向の倒れに対する阻止力が大となる。
【００２５】
請求項５記載の発明によると、肘掛けが背凭れと一体となって後方に傾動するので、座り心地がよい。
【図面の簡単な説明】
【図１】本発明の一実施形態を備える椅子の正面図である。
【図２】同じく、側面図である。
【図３】同じく、椅子の肘フレームの取付部を、斜め下方から見上げた部分分解斜視図である。
【図４】同じく、肘フレームの取付部の部分分解平面図である。
【符号の説明】
（１）キャスタ
（２）脚杆
（３）脚体
（４）脚柱
（５）支基
（６）軸
（７）背凭れ
（８）背凭れ支持杆
（８ａ）水平部
（８ｂ）起立部
（９）ヘッドレスト
（１０）座
（１１）肘掛け
（１２）肘フレーム
（１２ａ）基端部
（１３）肘フレーム取付部
（１４）凸部
（１５）係合孔
（１６）ねじ孔
（１７）凹部
（１８）突部
（１９）挿通孔
（２０）開口部
（２１）連結ボルト
【図１】
2004049735.tif 000003
【図２】
2004049735.tif 000004
【図３】
2004049735.tif 000005
【図４】
2004049735.tif 000006